(57)【要約】【課題】  所望のデザインの額縁を用いた場合であっても音声情報を出力する。【解決手段】  被装飾体を支持して額縁に嵌め込まれる額縁用マット部材に、音声情報が記録され、この音声情報が出力可能な音声情報再生部１０を埋め込む。【選択図】図１
2007007177.tif 000002
【特許請求の範囲】
【請求項１】
開口窓部を有する額縁に嵌め込まれ、被装飾体を前記開口窓部から視認可能となるように支持する額縁用マット部材であって、
音声情報が記録され、該音声情報を出力する音声情報再生手段が埋め込まれている額縁用マット部材。
【請求項２】
請求項１に記載の額縁用マット部材において、
前記音声情報再生手段は、複数層に挟み込まれた状態で埋め込まれ、
前記複数層のうち前記音声情報再生手段に対して前記開口窓部とは反対側の層は、音声情報を出力する音声出力部に対向する領域に穴部を有することを特徴とする額縁用マット部材。
【請求項３】
請求項１または請求項２に記載の額縁用マット部材において、
前記音声情報再生手段は、非接触型情報記録媒体から非接触状態にて情報を読み取る第１の情報読取部を有し、該第１の情報読取部にて予め決められた情報が読み取られた場合に音声情報を出力することを特徴とする額縁用マット部材。
【請求項４】
請求項１乃至３のいずれか１項に記載の額縁用マット部材において、
前記音声情報再生手段は、非接触型情報記録媒体から非接触状態にて情報を読み取る第２の情報読取部を有し、該第２の情報読取部にて読み取られた情報に対応づけて記録された音声情報を出力することを特徴とする額縁用マット部材。
【発明の詳細な説明】
【技術分野】
【０００１】
本発明は、額縁に嵌め込まれる額縁用マット部材に関する。
【背景技術】
【０００２】
従来より、展覧会等にて飾られる絵画は、額縁に入れられた状態で飾られる場合が多い。また、一般家庭やオフィスあるいは店舗等においても、写真や絵画を額縁に入れて飾ることが行われている。写真や絵画を額縁に入れる場合は、額縁に嵌め込み可能な額縁用マット部材によって、写真や絵画を額縁に設けられた開口窓部から視認可能となるように支持することになる。
【０００３】
ここで、近年においては、額縁内に音声情報の記録、出力が可能な音声装置を内蔵しておき、センサーにて人が近づいたことを検知した場合に音声情報を出力する額縁が考えられている（例えば、特許文献１，２参照。）。このような額縁を用いれば、額縁に入れられた写真や絵画をただ視覚によって鑑賞するだけでなく、その写真や絵画についての情報を音声として聞くことができるようになる。
【特許文献１】特開平１０−２２５３４９号公報
【特許文献２】実開平５−４８７６１号公報
【発明の開示】
【発明が解決しようとする課題】
【０００４】
しかしながら、上述したような音声装置が内蔵された額縁を用いて写真や絵画を飾る場合、音声情報を出力可能としながら写真や絵画を入れる額縁を異なるデザインのものに取り替えるためには、音声装置が内蔵された額縁の中からしかそのデザインを選択することができず、所望のデザインを選択することができない虞れがある。また、音声装置が内蔵された額縁は、一般的な額縁と比較して音声装置が内蔵されている分コストが高いものとなるため、購入価格が高いものとなってしまうという問題点がある。
【０００５】
本発明は、上述したような従来の技術が有する問題点に鑑みてなされたものであって、所望のデザインの額縁を用いた場合であっても音声情報を出力することができる額縁用マット部材を提供することを目的とする。
【課題を解決するための手段】
【０００６】
上記目的を達成するために本発明は、
開口窓部を有する額縁に嵌め込まれ、被装飾体を前記開口窓部から視認可能となるように支持する額縁用マット部材であって、
音声情報が記録され、該音声情報を出力する音声情報再生手段が埋め込まれている。
【０００７】
上記のように構成された本発明においては、額縁に設けられた開口窓部から被装飾体が視認可能となるように被装飾体を支持して額縁に嵌め込まれ、この状態で、額縁用マット部材に埋め込まれた音声情報再生手段から音声情報が出力される。
【０００８】
このように、被装飾体を支持して額縁に嵌め込まれる額縁用マット部材に、音声情報が記録され、この音声情報が出力可能な音声情報再生手段が埋め込まれているので、一般的な額縁にこの額縁用マット部材を嵌め込んで用いることで、額縁に入れられた被装飾体をただ視覚によって鑑賞するだけでなく、その被装飾体についての情報を音声として聞くことができるようになる。
【０００９】
また、音声情報再生手段は、複数層に挟み込まれた状態で埋め込まれ、
前記複数層のうち前記音声情報再生手段に対して前記開口窓部とは反対側の層は、音声情報を出力する音声出力部に対向する領域に穴部を有することを特徴とする。
【００１０】
このような構成とした場合は、音声出力部から出力された音声情報が、音声情報再生手段を挟み込む複数層のうち音声情報再生手段に対して開口窓部とは反対側の層に形成された穴部を介して外部に出力されることになり、それにより、開口窓部側からの外観を損なうことなく、音声出力部から出力された音声情報が鮮明に聞こえることになる。
【００１１】
また、音声情報再生手段は、非接触型情報記録媒体から非接触状態にて情報を読み取る第１の情報読取部を有し、該第１の情報読取部にて予め決められた情報が読み取られた場合に音声情報を出力することを特徴とする。
【００１２】
このような構成とした場合は、予め決められた情報が書き込まれた非接触型情報記録媒体を所持する鑑賞者が近づいた場合に音声情報が出力されることになる。
【００１３】
また、音声情報再生手段は、非接触型情報記録媒体から非接触状態にて情報を読み取る第２の情報読取部を有し、該第２の情報読取部にて読み取られた情報に対応づけて記録された音声情報を出力することを特徴とする。
【００１４】
このような構成とした場合は、額縁に入れられる被装着体に被装飾体毎に異なる情報が書き込まれた非接触型情報記録媒体を取り付けておくとともに、この被装飾体についての音声情報を、被装飾体毎に非接触型情報記録媒体に書き込まれた情報と対応づけて記録しておけば、額縁に入れられた被装飾体が取り替えられた場合であっても、その被装飾体についての音声情報が出力されることになる。
【発明の効果】
【００１５】
以上説明したように本発明においては、被装飾体を支持して額縁に嵌め込まれる額縁用マット部材に、音声情報が記録され、この音声情報が出力可能な音声情報再生手段が埋め込まれている構成としたため、一般的な額縁にこの額縁用マット部材を嵌め込んで用いることで、額縁に入れられた被装飾体をただ視覚によって鑑賞するだけでなく、その被装飾体についての情報を音声として聞くことができるようになり、それにより、所望のデザインの額縁を選択した場合であっても音声情報を出力することができる。
【００１６】
また、音声情報再生手段が複数層に挟み込まれるように埋め込まれ、この複数層のうち音声情報再生手段に対して開口窓部とは反対側の層が、音声情報を出力する音声出力部に対向する領域に穴部を有する構成としたものにおいては、開口窓部側からの外観を損なうことなく、音声出力部から出力された音声情報を鮮明に聞くことができる。
【００１７】
また、音声情報再生手段が、非接触型情報記録媒体から非接触状態にて情報を読み取る第１の情報読取部を有し、この第１の情報読取部にて予め決められた情報が読み取られた場合に音声情報を出力する構成としたものにおいては、予め決められた情報が書き込まれた非接触型情報記録媒体を所持する鑑賞者が近づくだけで特別な操作をすることなく音声情報を出力することができる。
【００１８】
また、音声情報再生手段が、非接触型情報記録媒体から非接触状態にて情報を読み取る第２の情報読取部を有し、この第２の情報読取部にて読み取られた情報に対応づけて記録された音声情報を出力する構成としたものにおいては、額縁に入れられる被装飾体に被装飾体毎に異なる情報が書き込まれた非接触型情報記録媒体を取り付けておくとともに、この被装飾体についての音声情報を、被装飾体毎に非接触型情報記録媒体に書き込まれた情報と対応づけて記録しておけば、額縁に入れられた被装飾体が取り替えられた場合であっても、その被装飾体についての音声情報を出力することができる。
【発明を実施するための最良の形態】
【００１９】
以下に、本発明の実施の形態について図面を参照して説明する。
【００２０】
（第１の実施の形態）
図１は、本発明の額縁用マット部材の第１の実施の形態を示す図であり、その積層構造を示す。また、図２は、図１に示した額縁用マット部材の音声情報再生部１０が設けられた領域におけるＡ−Ａ’断面図である。
【００２１】
本形態は図１及び図２に示すように、透明のアクリル板１と、紙等からなる表面シート２と、紙等からなる支持シート３と、発泡スチロール等の弾性を有する基材からなるクッションシート４と、背面板５とが積層されて構成されており、支持シート３とクッションシート４との間に、穴部２ａ，２ｂから視認可能となるように写真や絵画等の被装飾体を挟み込んで支持するものである。
【００２２】
アクリル板１は、額縁に嵌め込まれた場合に最表面に位置するものであって、透明な材料からなり、一部に表裏貫通した穴部１ａが形成されている。
【００２３】
また、表面シート２は、写真や絵画等の被装飾体をアクリル板１側から視認可能とするために表裏貫通した穴部２ａが形成され、また、アクリル板１の穴部１ａに対向する領域に穴部１ａよりも大きな透明なフィルムシート８が貼着されているとともに、このフィルムシート８が貼着された領域の一部に音声情報を出力する際に押下される再生ボタン１１が印刷、あるいはシール等によって貼付されている。このため、アクリル板１の穴部１ａは、再生ボタン１１が露出するように形成されている。なお、フィルムシート８は、表面シート２の穴部１ａによって露出した部分を保護するためのものであり、必ずしも設ける必要はないが、本形態のように表面シート２に設けられた再生ボタン１１が外部から押下される場合は、表面シート２の磨耗や汚れを防止するために設けておくことが好ましい。
【００２４】
また、支持シート３は、表面シート２の穴部２ａと対向する領域に写真や絵画等の被装飾体をアクリル板１側から視認可能とするために表裏貫通した穴部３ａが形成され、また、音声情報が記録され、再生ボタン１１が押下された場合にこの音声情報を出力する音声情報再生部１０が、支持シート３に表裏貫通して形成された穴部３ｂに埋め込まれている。すなわち、表面シート２に設けられた再生ボタン１１は、支持シート３に埋め込まれた音声情報再生部１０の所定の領域に対向する位置に印刷されていることになる。また、図２に示すように、支持シート３の厚さは、音声情報再生部１０の厚さとほぼ等しくなっている。
【００２５】
また、クッションシート４は、支持シート３に埋め込まれた音声情報再生部１０の所定の領域に対向する位置に表裏貫通した穴部４ａが形成されている。
【００２６】
背面板５は、木材等からなり、クッションシート４の穴部４ａと対向する領域に表裏貫通した穴部５ａが形成されている。
【００２７】
これにより、音声情報再生部１０が、アクリル板１、表面シート２、クッションシート４及び背面板５の複数層に挟み込まれた状態で支持シート３に埋め込まれた形状となっている。
【００２８】
以下に、上述した音声情報再生部１０の構成について説明する。
【００２９】
図３は、図１に示した音声情報再生部１０の内部構造を示す図である。また、図４は、図１に示した音声情報再生部１０の積層構造を示す図である。
【００３０】
本形態における音声情報再生部１０は図３及び図４に示すように、音声情報の記録及び再生が可能なシート状の音声情報記録／再生部３０が、紙基材等の柔軟性を有し、かつ薄型の基材からなる２枚の支持シート２０ａ，２０ｂに挟まれて構成されている。なお、支持シート２０ａ，２０ｂ及び音声情報記録／再生部３０は、支持シート２０ａ，２０ｂの互いに対向する面に施された粘着加工によって互いに接着されている。この粘着加工は、支持シート２０ａ，２０ｂの互いに対向する面に両面テープを貼付することや、ホットメルト型接着剤を塗布すること等によって行うことが考えられる。
【００３１】
また、音声情報記録／再生部３０は、ピエゾ素子４１や振動板４２からシート状に構成されて音声情報を出力するための音声出力部となる音声情報出力部４０と、外部から入力された音声情報が記録されるメモリ領域を具備する薄型のＩＣチップ３４やコンデンサ、抵抗等の回路素子が搭載されるとともに、外部からＩＣチップ３４に音声情報を記録するための端子３１を含む導電パターンが形成されて音声情報の記録及び再生が可能に構成された音声基板３２と、音声基板３２に形成された導電パターンの一部を導通させるためのスイッチ３３とから構成されており、これにより、音声情報記録／再生部３０は、シート状に構成されている。ここで、音声基板３２においては、柔軟性を有し、かつ薄型の繊維強化プラスチック（ＦＲＰ）やポリエチレンテレフタレート（ＰＥＴ）、ポリイミドあるいはリードフレーム等からなるベース基板に、異方性導電性接着剤（ＡＣＰ）や異方性導電性フィルム（ＡＣＦ）あるいはワイヤボンディング等によってＩＣチップ３４が接合されている。また、ＩＣチップ３４は、端子３１を介して入力された音声情報をメモリ領域に記録し、また、メモリ領域に記録された音声情報を音声情報出力部４０を介して出力する制御を行う。また、スイッチ３３は、ＩＣチップ３４のメモリ領域に記録された音声情報を音声情報出力部４０を介して出力する際に押下されるものである。
【００３２】
また、支持シート２０ａにおいては、音声情報記録／再生部３０と積層された場合に、音声情報出力部４０、ＩＣチップ３４及びスイッチ３３と対向する領域に穴２１ａ，２２，２３がそれぞれ形成されており、また、支持シート２０ｂにおいては、音声情報記録／再生部３０と積層された場合に、音声情報出力部４０と対向する領域に穴２１ｂが形成されている。
【００３３】
このように、支持シート２０ａの、音声情報出力部４０、ＩＣチップ３４及びスイッチ３３と対向する領域に穴２１ａ，２２，２３がそれぞれ形成され、また、支持シート２０ｂの音声情報出力部４０と対向する領域に穴２１ｂが形成されることにより、音声情報出力部４０、ＩＣチップ３４及びスイッチ３３が設けられている領域と他の領域とで厚さの差が小さくなる。
【００３４】
図５は、図３及び図４に示した支持シート２０ａ，２０ｂと音声情報記録／再生部３０とを積層した状態を示す図であり、（ａ）は支持シート２０ａと音声情報記録／再生部３０とを積層した状態を示す図、（ｂ）は支持シート２０ｂと音声情報記録／再生部３０とを積層した状態を示す図である。
【００３５】
図５（ａ）に示すように、支持シート２０ａの音声情報出力部４０と対向する領域に形成された穴２１ａは音声情報出力部４０よりも大きく、また、ＩＣチップ３４と対向する領域に形成された穴２２はＩＣチップ３４よりも大きく、また、スイッチ３３と対向する領域に形成された穴２３はスイッチ３３を含むような形状となっている。
【００３６】
また、図５（ｂ）に示すように、支持シート２０ｂの音声情報出力部４０と対向する領域に形成された穴２１ｂは音声情報出力部４０よりも小さくなっている。
【００３７】
これにより、音声情報記録／再生部３０は、２枚の支持シート２０ａ，２０ｂによって一部のみが表裏から挟み込まれるように積層され、支持シート２０ａ，２０ｂの互いに対向する面に施された粘着加工によって固定されている。
【００３８】
上記のように構成された音声情報再生部１０に音声情報を記録する場合は、音声情報記録装置（不図示）に端子３１を接続し、この端子３１を介してＩＣチップ３４のメモリ領域に音声情報を記録することになる。
【００３９】
以下に、上述した額縁用マット部材の利用形態について説明する。
【００４０】
図６は、図１に示した額縁用マット部材が額縁に嵌め込まれた状態を示す図であり、（ａ）は額縁の表面側から見た図、（ｂ）は額縁の裏面側から見た図である。
【００４１】
図１に示した額縁用マット部材は、上述したように支持シート３とクッションシート４との間に被装飾体となる絵画６を穴部２ａ，２ｂから視認可能となるように挟み込んで支持した状態で、図６（ａ）に示すように額縁５０に嵌め込まれる。額縁５０は、長尺状の４本のフレーム材がその端部にて互いに連結することによって枠部５２が構成され、この枠部５２によって開口窓部５１が形成されている。
【００４２】
この額縁５０に図１に示した額縁用マット部材が嵌め込まれると、額縁用マット部材によって支持された絵画６が開口窓部５１から視認可能となるとともに、表面シート２に設けられた再生ボタン１１も開口窓部５１から視認可能となる。そして、再生ボタン１１においては、アクリル板１に形成された穴部１ａを介して露出しているため、外部から押下可能となっている。
【００４３】
また、額縁用マット部材の裏面、すなわち、背面板５のクッションシート４が積層された面とは反対側の面には、ボタン電池９が支持部材（不図示）によって取り外し可能に支持されており、このボタン電池９は、支持シート３に埋め込まれた音声情報再生部１０に接続されて音声情報再生部１０の電源となっている。
【００４４】
このように額縁用マット部材が額縁５０に嵌め込まれた状態で音声情報再生部１０に記録された音声情報を聞く場合は、額縁用マット部材の表面シート２に設けられた再生ボタン１１を押下することになる。
【００４５】
ここで、表面シート２に設けられた再生ボタン１１は、支持シート３に嵌め込まれた音声情報再生部１０のスイッチ３３に対向する領域に設けられており、そのため、再生ボタン１１が押下されると音声情報再生部１０のスイッチ３３が押下されることになる。
【００４６】
音声情報再生部１０のスイッチ３３が押下されると、音声情報再生部１０のＩＣチップ３４に記録された音声情報が音声情報再生部１０の音声情報出力部４０から出力される。
【００４７】
ここで、音声情報再生部１０が埋め込まれた支持シート３の開口窓部５１とは反対側に積層されるクッションシート４及び背面板５には、音声情報再生部１０の音声情報出力部４０に対向する領域に穴部４ａ，５ａがそれぞれ形成されているため、音声情報出力部４０から出力された音声情報はこの穴部４ａ，５ａを介して外部に出力されることになり、音声情報を鮮明に聞くことができる。また、その際、穴部４ａ，５ａが開口窓部５１とは反対側、すなわち額縁５０の裏面側に配置されるため、外観が損なわれることがない。
【００４８】
また、表面シート２及びフィルムシート８の音声情報出力部４０に対向する領域にレーザ等によって微細な穴を形成しておくことも考えられ、それにより、音声情報出力部４０から出力された音声情報をさらに鮮明に聞くことができるようになる。
【００４９】
このように本形態においては、絵画６等の被装飾体を支持して額縁５０に嵌め込まれる額縁用マット部材に、音声情報が記録され、この音声情報が出力可能な音声情報再生部１０が埋め込まれているため、この額縁用マット部材によって支持されて額縁５０に入れられる絵画６についての音声情報を音声情報再生部１０のＩＣチップ３４に記録しておけば、額縁５０に入れられた絵画６をただ視覚によって鑑賞するだけでなく、その絵画６についての情報を音声として聞くことができるようになる。
【００５０】
（第２の実施の形態）
図７は、本発明の額縁用マット部材の第２の実施の形態を示す図であり、その積層構造を示す。
【００５１】
本形態は図７に示すように、第１の実施の形態にて示したものに対して、非接触型情報記録媒体から非接触状態にて情報を読み取る第１の情報読取部３ｃが支持シート３に設けられている点のみが異なるものである。
【００５２】
以下に、本形態の額縁用マット部材の利用形態について説明する。
【００５３】
図８は、図７に示した額縁用マット部材の動作を説明するためのフローチャートである。
【００５４】
まず、図７に示した額縁用マット部材を、第１の実施の形態にて示したものと同様に、支持シート３とクッションシート４との間に絵画６を穴部２ａ，２ｂから視認可能となるように挟み込んで支持した状態で、図６に示したように額縁５０に嵌め込む。
【００５５】
このようにして額縁５０に入れられた絵画６を展覧会にて飾る場合、展覧会における絵画６の鑑賞者に、非接触状態にて情報の読み取りが可能な非接触型情報記録媒体であるＩＣカードを配布する。このＩＣカードには、ＩＣカード固有のＩＤが書き込まれており、また、額縁用マット部材に埋め込まれた音声情報再生部１０のＩＣチップ３４においては、展覧会における絵画６の鑑賞者に配布されるＩＣカードに書き込まれたＩＤが管理される。
【００５６】
額縁用マット部材に設けられた情報読取部３ｃにおいては、このようなＩＣカードからの情報の読み取り動作が行われており、展覧会における絵画６の鑑賞者が額縁５０に近づくと、その鑑賞者が所持するＩＣカードからＩＤが読み取られる（ステップＳ１）。
【００５７】
ＩＣカードから読み取られたＩＤは情報読取部３ｃから音声情報再生部１０のＩＣチップ３４に送られ、ＩＣチップ３４において、情報読取部３ｃから送られてきたＩＤが予め管理されているＩＤであるかどうかが確認される（ステップＳ２）。
【００５８】
そして、情報読取部３ｃから送られてきたＩＤが予め管理されているＩＤであることが確認された場合、ＩＣチップ３４のメモリ領域に記録された音声情報が読み出され（ステップＳ３）、音声情報出力部４０から出力されることになる（ステップＳ４）。
【００５９】
このように本形態においては、額縁用マット部材の情報読取部３ｃにおいて、鑑賞者に配布されたＩＣカードに書き込まれたＩＤが読み取られた場合に音声情報が出力されるため、鑑賞者が額縁５０に近づくだけで特別な操作を行うことなく音声情報を出力することができる。なお、そのため、表面シート２に再生ボタン１１を設けておく必要は必ずしもない。
【００６０】
（第３の実施の形態）
図９は、本発明の額縁用マット部材の第３の実施の形態を示す図であり、その積層構造を示す。
【００６１】
本形態は図９に示すように、第１の実施の形態にて示したものに対して、非接触型情報記録媒体から非接触状態にて情報を読み取る第２の情報読取部４ｂがクッションシート４の穴部３ａに対向する領域に設けられている点のみが異なるものである。
【００６２】
以下に、本形態の額縁用マット部材の利用形態について説明する。
【００６３】
図１０は、図９に示した額縁用マット部材を用いて額縁に入れられる絵画の構成を示す図であり、絵画を裏面から見た図である。
【００６４】
図１０に示すように、図９に示した額縁用マット部材を用いて額縁に入れられる絵画６には、その裏面に、非接触状態にて情報の読み取りが可能な非接触型情報記録媒体であるＩＣチップ７が取り付けられている。このＩＣチップ７には、ＩＣチップ７固有のＩＤが書き込まれており、それにより、このＩＤによって絵画６が識別可能となる。
【００６５】
図１１は、図１０に示した絵画６が図９に示した額縁用マット部材に支持されて額縁に入れられた場合における額縁用マット部材の動作を説明するためのフローチャートである。
【００６６】
まず、図９に示した額縁用マット部材を、第１の実施の形態にて示したものと同様に、支持シート３とクッションシート４との間に絵画６を穴部２ａ，２ｂから視認可能となるように挟み込んで支持した状態で、図６に示したように額縁５０に嵌め込む。
【００６７】
この状態で額縁用マット部材の再生ボタン１１が押下されると（ステップＳ１１）、額縁用マット部材に設けられた情報読取部４ｂにおいて、絵画６に取り付けられたＩＣチップ７からＩＤが読み取られる（ステップＳ１２）。ここで、絵画６に取り付けられたＩＣチップ７は、この絵画６が額縁用マット部材に支持されて額縁に入れられた場合にそのＩＤが情報読取部４ｂにて読み取られる必要があることから、絵画６が額縁用マット部材に支持された場合に情報読取部４ｂに対向する位置、少なくとも情報読取部４ｂにてＩＤが読み取り可能な領域に取り付けられている必要がある。
【００６８】
ＩＣチップ７から読み取られたＩＤは情報読取部４ｂから音声情報再生部１０のＩＣチップ３４に送られ、ＩＣチップ３４において、情報読取部４ｂから送られてきたＩＤに対応づけて記録された音声情報がメモリ領域から検索されて読み出される（ステップＳ１３）。
【００６９】
図１２は、図９に示した額縁用マット部材に埋め込まれた音声情報再生部１０のＩＣチップ３４にて管理される情報を示す図である。
【００７０】
図１２に示すように、図９に示した額縁用マット部材に埋め込まれた音声情報再生部１０のＩＣチップ３４においては、絵画６に取り付けられたＩＣチップ７に書き込まれたＩＤ毎に、そのＩＣチップ７が取り付けられた絵画６についての音声情報が記録されたメモリ領域が管理されており、ＩＣチップ３４においては、情報読取部４ｂから送られてきたＩＤに対応づけて管理されているメモリ領域から音声情報が読み出されることになる。
【００７１】
その後、ＩＣチップ３４のメモリ領域から読み出された音声情報が音声情報出力部４０から出力される（ステップＳ１４）。
【００７２】
このように本形態においては、絵画６には絵画６を識別可能なＩＤが書き込まれたＩＣチップ７が取り付けられており、絵画６が額縁用マット部材に支持されて額縁に入れられた場合にこのＩＣチップ７からＩＤが読み取られ、読み取られたＩＤに対応づけて記録された音声情報が出力されるため、額縁に入れられた絵画６が取り替えられた場合であっても、この絵画６についての音声情報を出力することができる。
【００７３】
なお、本発明は、上述した実施の形態を組み合わせたものも含むことは言うまでもない。
【００７４】
また、上述した音声とは、人が口から発する音だけではなく、風の音や波の音などの自然の音、各種動物の鳴き声、色々なジャンルの音楽などを含む概念である。
【図面の簡単な説明】
【００７５】
【図１】本発明の額縁用マット部材の第１の実施の形態を示す図である。
【図２】図１に示した額縁用マット部材の音声情報再生部が設けられた領域におけるＡ−Ａ’断面図である。
【図３】図１に示した音声情報再生部の内部構造を示す図である。
【図４】図１に示した音声情報再生部の積層構造を示す図である。
【図５】図３及び図４に示した支持シートと音声情報記録／再生部とを積層した状態を示す図である。
【図６】図１に示した額縁用マット部材が額縁に嵌め込まれた状態を示す図であり、（ａ）は額縁の表面側から見た図、（ｂ）は額縁の裏面側から見た図である。
【図７】本発明の額縁用マット部材の第２の実施の形態を示す図であり、その積層構造を示す。
【図８】図７に示した額縁用マット部材の動作を説明するためのフローチャートである。
【図９】本発明の額縁用マット部材の第３の実施の形態を示す図であり、その積層構造を示す。
【図１０】図９に示した額縁用マット部材を用いて額縁に入れられる絵画の構成を示す図である。
【図１１】図１０に示した絵画が図９に示した額縁用マット部材に支持されて額縁に入れられた場合における額縁用マット部材の動作を説明するためのフローチャートである。
【図１２】図９に示した額縁用マット部材に埋め込まれた音声情報再生部のＩＣチップにて管理される情報を示す図である。
【符号の説明】
【００７６】
１    アクリル板
１ａ，２ａ，３ａ，３ｂ，４ａ，５ａ    穴部
２    表面シート
３，２０ａ，２０ｂ    支持シート
３ｃ，４ｂ    情報読取部
４    クッションシート
５    背面板
６    絵画
７    ＩＣチップ
８    フィルムシート
９    ボタン電池
１０    音声情報再生部
１１    再生ボタン
２１ａ，２１ｂ，２２，２３    穴
３０    音声情報記録／再生部
３１    端子
３２    音声基板
３３    スイッチ
３４    ＩＣチップ
４０    音声情報出力部
４１    ピエゾ素子
４２    振動板
５０    額縁
５１    開口窓部
５２    枠部
【図１】
2007007177.tif 000003
【図２】
2007007177.tif 000004
【図３】
2007007177.tif 000005
【図４】
2007007177.tif 000006
【図５】
2007007177.tif 000007
【図６】
2007007177.tif 000008
【図７】
2007007177.tif 000009
【図８】
2007007177.tif 000010
【図９】
2007007177.tif 000011
【図１０】
2007007177.tif 000012
【図１１】
2007007177.tif 000013
【図１２】
2007007177.tif 000014